(57)【特許請求の範囲】
【請求項１】
リール間隔の異なる複数種類のテープカセットを受け入れて、テープ上の情報を再生又は記録する記録再生装置において、
上記テープカセットの左右一対のリールのいずれかを載せて回転する一対のリール台と、
上記各リール台を搭載した、回動可能な一対のリールベースと、
該リールベースの回動に応じて倒立するリールロック解除片と、
を具備すると共に、
上記リールロック解除片は小カセット用であり、
上記リールベースが小カセット位置にあるときは該リールロック解除片は自立し、
上記リールベースが大カセット位置に移動するとき、上記リールベースの移動に応じて上記リールロック解除片が倒れ込むことにより大カセット装入空間から待避する記録再生装置であって、
上記リールロック解除片が、該リールロック解除片を自立方向に付勢するバネを介して上記リールベース上に回動可能に取り付けられており、
上記リールベースの大カセット装着位置への移動時に上記リールロック解除片の尾部が上記リールベースを支える部材と当接して倒れ込む
ことを特徴とする記録再生装置。
【請求項２】
上記リールベースが小カセット位置にあるときに、上記リールロック解除片の尾部と当接して該リールロック解除片の倒れ込みを防止する部材が設けられている
ことを特徴とする請求項１に記載の記録再生装置。
【発明の詳細な説明】
【０００１】
【発明の属する技術分野】
本発明は、記録媒体であるテープ上の情報を再生又は記録する記録再生装置に関する。特には、いわゆるコンパチブル方式の家庭用ビデオ・カセット・レコーダ（ＶＣＲ）に代表される、リール間隔の異なる大小複数種類のテープカセットを装着可能な記録再生装置に関する。
【０００２】
【従来の技術】
ＶＣＲを例にとって従来技術を説明する。
図７及び図８は、特開平９−２２３３４１号に開示されているコンパチブル方式のＶＣＲの主要機構を示す平面図である。図７は小カセット装着状態、図８は大カセット装着状態である。
【０００３】
初めに、テープ走行系について説明する。
ＶＣＲの主要メカニズムを搭載したメカシャーシ１０３上には、左右一対の、供給側リール台１０１と巻取側リール台１０２が配置されている。両リール台１０１、１０２には、テープカセットＴＣのテープ供給側リール１０５とテープ巻取側リール１０６がそれぞれ装着される。
【０００４】
カセットＴＣの供給側リール１０５から引き出された磁気テープＴは、以下の経路を引き回されている。同リール１０５の左上に示されているガイドローラ１０７→供給側のテンションレギュレータ１０８のローラ１０８ａ→入側スライド部材１０９に支持された垂直ガイド１１０→同様の傾斜ガイド１１１→磁気ヘッドを有する回転ドラム１１２→出側スライド部材１１３に支持された傾斜ガイド１１４→同様の垂直ガイド１１５→キャプスタン１１６及びピンチローラ１１７→巻取側のテンションレギュレータ１１８のローラ１１８ａ→ガイドローラ１１９→巻取側リール１０６。これらの機構はテープ走行系を構成している。
【０００５】
上述した両リール台１０１、１０２は、それぞれリールベース１２６、１２７上の支持軸１２６ａ、１２７ａに回転可能に軸支されている。各リールベース１２６、１２７は、支点軸１２４、１２５を支点として回動する。このリールベース１２６、１２７の回動動作により、左右のリール台１０１と１０２の間隔が、小カセットに対応する位置と大カセットに対応する位置のいずれかに位置決め可能である。なおリールベースの駆動機構は図示されていない。
【０００６】
また、両リール台１０１、１０２には、その底部に、リール台ギア１０１ａ、１０２ａ（歯部の図示は省略）が付設されている。これらのリール台ギアのいずれかには、振り子ギア１３０が選択的に噛み合い、いずれかのリール台がテープを巻き取る方向に回転駆動される。振り子ギア１３０は、首振りフレーム１３１の一端側に回転可能に軸支されている。首振りフレーム１３１は、その中間部に軸ボス１３２が圧入支持されており、同軸ボス１３２を中心として回動する。振り子ギア１３０は駆動ギア１３３と噛み合い、駆動モータ（図示されず）の回転は、駆動ギア１３３及び振り子ギア１３０を介していずれかのリール台１０１、１０２に選択的に伝えられる。
【０００７】
次に、リール台１０１、１０２及び振り子ギア１３０の抜け止め機構について説明する。
抜け止め機構は、符号１４０で示した抜け止め部材から構成されている。この抜け止め部材１４０は、プラスチック材により成形加工されており、上述した振り子ギア１３０及び駆動ギア１３３の全体を上から覆うような形で、メカシャーシ１０３上に支持されている。抜け止め部材１４０には、駆動ギア１３３の回転軸１３３ａに支持した軸ボス１３２に対応する位置に、当該軸ボス１３２より大きな孔１４１が開口している。この孔１４１には、軸ボス１３２が挿通されている。
【０００８】
抜け止め部材１４０には、大カセットＴＣ′用のリールロック解除片１４４が突設されている。このリールロック解除片１４４は、詳しくは後述するように、大カセットがリール台１０１、１０２に装着されたとき、カセットのリールロックを解除する働きをする。なお、リールロックとは、カセット内のリールがテープがゆるむ方向には回転しないように、リールをロックする機構である。
【０００９】
一方、小カセットＴＣのリールロック解除片１４５は、リール台１０１、１０２の移動動作に連動して移動可能なアーム部材１４６の先端部に取り付けられている。このアーム部材１４６の動作により、図７に示す小カセット装着時は小カセットのリールロック部に対応する位置に位置決めされ、図８に示す大カセットＴＣ′装着時には邪魔になるので、退避させる。なお、アーム部材１４６を各カセットの対応位置に位置決めするためのピン１４６ａ、１４６ｂが、上述の抜け止め部材１４０から一体に突出形成してある。
【００１０】
【発明が解決しようとする課題】
大小２種類の大きさのカセットに対応したＶＣＲでは、それぞれのカセット用にリールロック解除装置を設ける必要があるが、小カセット用のリールロック解除装置は、大カセット装入の邪魔となるため、大カセット装入時には逃がす必要がある。
従来は、上述のように、小カセット用のリールロック解除片を大カセットの邪魔とならない位置まで大きく回動させて移動させていた。あるいは小カセット装入時のみリールロック解除片に倒れ防止のロックをかけ、大カセット装入時には大カセットに押されて倒れるようにしていた。
【００１１】
しかしながら、このような従来の機構は、複雑かつ大きな部品が必要であり、ＶＣＲ全体の薄型化を阻害する一因ともなっていた。例えば、上述の特開平９−２２３３４１号のＶＣＲの場合、わずかマッチ棒の先ほどの小カセット用リールロック解除片１４５を動かすために、小カセットの全幅に近い長さのアーム部材１４６を備えていた。
【００１２】
本発明は、このような問題点に鑑みてなされたもので、リールロック解除機構に改良を加えた、さらなる小型化・薄型化の可能な記録再生装置を提供することを目的とする。
【００１３】
【課題を解決するための手段】
かかる課題を解決するため本発明においては、リール間隔の異なる複数種類のテープカセットのリールを載せて回転するリール台を搭載した一対のリールベースを有し、大カセット挿入時、小カセット用のリールロック解除片を、バネによる自立状態から倒れ込ませることにより、大カセット挿入空間から待避させると共に、大カセット挿入時、リールベースが大カセット挿入位置に回動することを利用して、リールロック解除片の尾部をリールベースを支える部材に当接させることにより、リールベース上に倒れ込ませるようにする。
【００１４】
【発明の実施の形態】
本発明においては、上記リールロック解除片が、小カセット用であり、リールベースが小カセット位置にあるときは該解除片は自立し、リールベースが大カセット位置に移動するときにリールベースの移動に応じて解除片が倒れ込み、大カセット装入空間から待避することが好ましい。特に、小カセット用のリールロック解除片は、大カセット装着時にそのままの位置にいたのでは、大カセットと干渉することとなる。かといって、大カセットの投影面積外に持ち出すためには大型の機構と部材が必要となる。そこで、小カセット位置にあるときは該解除片は自立し、リールベースが大カセット位置に移動するときにリールベースの移動に応じて解除片が倒れ込み、大カセット装入空間から待避することとすれば、機構を小型化できる。
【００１５】
また、本発明においては、上記リールロック解除片が、該片を自立方向に付勢するバネを介して上記リールベース上に回動可能に取り付けられており、リールベースの大カセット装着位置への移動時に該リールロック解除片の尾部がリールベースを支える部材（メカシャーシ）と当接して倒れ込むことが好ましい。特別なリールロック解除片倒立機構を設けることなく、小カセット用のリールロック解除片を大カセットと干渉しないように待避させることができる。
【００１６】
さらに、本発明においては、上記リールベースが小カセット位置にあるときに、上記リールロック解除片の尾部と当接して該片の倒れを防止する部材が設けられていることが好ましい。付勢バネのみでは解除片がカセットに押されて不意に倒れ込むこともありうる。そのような事態を防止して、確実なリールロック解除動作を行わせることができる。
【００１７】
以下、図面を参照しつつ説明する。
まず、本発明の記録再生装置に装着されるカセットのリールロック機構について説明する。
図４は、本発明の１実施例に係る記録再生装置（ＶＣＲ）に装着される大カセットの、上ハーフを取り除いた状態における平面図である。
図５は、図４のカセットの底面図である。大カセットは全体を符号２０１で示し、２０２はそのカセットケースである。
【００１８】
カセットケース２０２は、上方から見て横長の長方形をした扁平の箱状をしている。カセットケース２０２の前面（図の上側）の左右両端部には、テープ出口２０３が形成されている。これらの左右のテープ出口の間には、前方と下方に開口したマウス部２０４が形成されている。
【００１９】
カセットケース２０２内には、磁気テープ２０５の両端部が止着されかつ巻装された供給側リール２０６と巻取側リール２０７が、回転可能に収納されている。これら両テープリール２０６、２０７の中央部に立設されているハブ２０８、２０９には、その下端に開口したリール台係合穴２０８ａ、２０９ａが形成されている。これらリール台係合穴２０８ａ、２０９ａは、カセットケース２０２の底面壁に形成されたリール台挿通孔２０２ａ、２０２ａを介して外部に開口している。磁気テープ２０５の一部は、上記テープ出口２０３からカセットケース２０２外に導出され、上記マウス部２０４の前面に沿って位置している。
【００２０】
図示は省略してあるが、カセットケース２０２の前面部には、フロントリッドが回動自在に支持されて設けられている。同フロントリッドは、カセットケース２０２の前面に沿って架け渡されている磁気テープ２０５の前面を開閉する。
カセットケース２０２の底面壁の一端部には、テープカセットの種類、内容等の情報を検知するためのレコグニションホール２１０が設けられている。また、同底面壁の両端部には、テープカセット２０１の位置決め、高さ決めのための位置決め穴２１１が設けられている。さらに底面壁の中央部には、リールロック解除部材の挿通孔２１２が設けられている。
【００２１】
図４の大カセット２０１の中央部手前には、リールロック機構２１３が示されている。同機構２１３は、一対のリールロック爪２１４、２１４′を支持する摺動ハウジング２１５を有する。同ハウジング２１５は、カセットケース２０２の収容部２０２ａ内に組み込まれており、コイルスプリング２１６の付勢力によって、図の奥側に付勢されている。同ハウジング２１５の奥側壁に突設されたリールロック爪２１４、２１４′は、両テープリール２０６、２０７のリールフランジ２１７、２１８の外周部に設けられたロック歯２１７ａ、２１８ａに係合しており、テープリール２０６、２０７の回転をロック状態にしている。これが、カセットがＶＣＲに装着されていない状態である。
【００２２】
このテープカセット２０１をＶＣＲに装着すると、ＶＣＲ側に設けられたリールロック解除片７１（図２参照）が、カセットケース２０２の底面壁に設けられた挿通孔２１２からケース内に挿入される。
【００２３】
図６は、リールロック解除動作の詳細を説明するための側面断面図である。リールロック解除片７１は、その上端部に後ろ下がりに傾斜した傾斜縁７１ａが形成されている。同片７１がカセットケース２０２内に挿入されると、この傾斜縁７１ａが、ロック位置にある摺動ハウジング２１５の傾斜部２１５ａに当接する。さらに、リールロック解除片７１がカセットケース２０２内に挿入されると、同片７１の傾斜縁７１ａが摺動ハウジング２１５の傾斜部２１５ａを押圧する。そのため、摺動ハウジング２１５は、図の右方向への移動力を受け、コイルスプリング２１６による弾発力に抗して後方へ移動する。これによって、図４に示すリールロック爪２１４がリールフランジ２１７、２１８のロック歯２１７ａ、２１８ａから離脱して、リールロック状態が解除される。
【００２４】
次に、図１、図２及び図３を参照しつつ、本発明の１実施例に係るＶＣＲのリールベースの回動メカニズム及びリールロック解除機構を説明する。
図１は、小カセット装着時図であり、図２は大カセット装着時の図である。図１、２（Ａ）は平面図であり、図１、２（Ｂ）はリール駆動スライダ周りの側面図であり、図１、２（Ｃ）は、リールロック解除機構部の側面断面図である。
図３は、小カセット用のリールロック解除片の倒立動作を説明するための側面断面図である。
図中には、二点鎖線で小カセット５及び大カセット７が示されている。
【００２５】
左右のリール台１１、１３は、回板状のものであり、カセット５、７内のリール（図示されず）を載せて回転する。リール台１１、１３の上面中心には、カセット側のリールの係合穴（図５の２０８ａ、２０９ａ）に係合するリール係合軸１１ａ、１３ａが立設されている。なお、通常のＶＣＲは、テープが左のリールから右のリールに走行するのを正転と呼んでおり、左側のリール台１１を供給側リール台と呼び、右側のリール台１３を巻取側リール台と呼ぶ。
各リール台１１、１３は、左右のリールベース１５、２５上に回転自在に軸支されている。各リールベース１５、２５は、その回動軸１５ａ、２５ａにおいてシャーシ３上に回動自在に軸支されている。このリールベース１５、２５の回動に応じて、左右のリール台１１、１３の間隔が変化する。両リール台１１、１３が上部中央寄りに近接した図１の状態では小カセット５を装着可能であり、左右外側に離れた図２の状態では大カセット７を装着可能である。
【００２６】
テープの内巻取り側に選択されたリール台は、図示せぬ歯車機構によって回転駆動される。各リール台１１、１３には、図示せぬテンションレギュレータのブレーキバンドが約半周巻き付いて、テープにある一定範囲内のテンションがかかるように自動的にコントロールされる。
【００２７】
左右のリールベース１５、２５は、略扇形をした板状の部材であり、上述のように、扇形の根元の回動軸１５ａ、２５ａにおいて、シャーシ３に回動自在に軸支されている。左側の供給側リールベース１５の根元部外周には、回動軸１５ａを中心とする円弧状のギア１５ｂが形成されている。一方、右側の巻取側リールベース２５の根元部外周にも、回動軸２５ａを中心とする円弧状のギア２５ｂが形成されている。両ギア１５ｂと２５ｂは互いに噛み合って、左右のリールベース１５、２５は同期して互いに逆回りに回動する。さらに、右側のリールベース２５の扇形の外周部にも、円弧状のギア２５ｃが形成されている。このギア２５ｃは、リール駆動アーム４１の外周のギア４１ｂと噛み合っている。詳しくは後述するが、装着されるカセットサイズに応じて、リール駆動アーム４１の回動位置が決まる。それに応じて、左右のリールベース１５、２５が回動して、図１の小カセット状態と図２の大カセット状態とが切り換わる。
【００２８】
右のリールベース２５の外周に切られているギア２５ｃは、リール駆動アーム４１の外周に切られているギア４１ｂと噛み合っている。このリール駆動アーム４１は、右側の回動軸４１ａを中心に回動する。リール駆動アーム４１は、駆動支点４１ｃにおいてリール駆動スライダ４５と連結されている。このリール駆動スライダ４５は、図１の小カセット装着時は、カセット判別爪４３に押されて奥側に進んでいる。なお、このカセット判別爪４３は、小カセット装着時には図１（Ｂ）に示すように下に沈んでおり、大カセット装着時には、図２（Ｂ）に示すようにカセットにより持ち上げられている。したがって、リール駆動スライダ４５は、小カセット装着時には、爪４３に押されて奥に進み、この動きでリール駆動アーム４１は、時計方向に回動して奥側に回り込んでいる。このリール駆動アーム４１の回動により、ギア４１ｂ、２５ｃを介して、右側のリールベース２５は反時計回りに回動している。また、左側のリールベース１５は、時計回りに回動している。その結果、左右のリールベース１１と１３は近寄った小カセット装着位置にある。なお、図中符号４２は、リール駆動アーム４１に開けられた穴である。
【００２９】
一方、大カセット装着状態では、図２（Ｂ）に示すように爪４３はリール駆動スライダ４５に係合しないため、リール駆動スライダ４５は奥に押されずに手前側にあって、リール駆動アーム４１も手前側の位置にある。なお、何もカセットを入れないときは、バネ付勢により図２の大カセット状態となっている。そのため、図２（Ａ）に示すような左右のリールベース１１と１３が互いに遠ざかった大カセット装着状態となっている。
【００３０】
次に、リールロック解除片６１のリールベース１５に対する取り付け構造の詳細について、図３（Ａ）を参照しつつ説明する。
リールベース１５の一部には、リールロック解除片６１取り付け用のリブ６３が突設されている。このリブ６３には、ピン６５が、シャーシ３と平行な方向に突出するように固定されている。解除片６１は、このピン６５に対して回動可能に軸支されている。ピン６５の真下のリールベース１５の部分には穴１５ｃが開いている。また、ピン６５には、コイルバネ６７が、隙間をもってはめ込まれている。このバネ６７の両端は直線状にやや延びており、一端６７ａはリールベース１５の上面に当接し、他端６７ｂは解除片６１の側辺に当接している。そして、このバネ６７は、解除片６１をシャーシ３から立ち上がる方向（図３（Ａ）の姿勢）に付勢している。
【００３１】
リールロック解除片６１は、細長い棒状の部材であって、その尾部６１ｂ（図３（Ａ）で下の部分）寄りの部分で上述のピン６５に軸支されている。同片６１の頂部６１ａは、カセットの反マウス側にテーパー面の付いた尖った形状をしている。リールロック解除片６１の中央部から尾部にかけては、えぐり込まれており（凸部６１ｃ）、ここに上述のコイルバネ６７が配置されている。リールロック解除片６１の尾部６１ｂは、図３（Ａ）の自立状態では、シャーシ３の穴３ａの中に入っている。同穴３ａの平面形状は、図１又は図２に示すように、やや左上が斜めとなっている五角形である。
【００３２】
図３（Ａ）の直立状態では、解除片尾部６１ｂの図の右端部（手前側）は、シャーシ３の穴３ｃの側辺に当接している。また、同片６１の左側面は、リールベース１５の穴１５ｃの奥側に当接している。したがって、リールベース１５が動かないとすれば、図３（Ａ）の状態で解除片６１に力がかかっても、同片６１がピン６５の周りに回動することはなく、同片６１は直立しており、カセットのリールロック解除挿通孔に確実に入り、リールロック解除がなされる。
【００３３】
次にリールロック解除片６１の倒れ込み動作について説明する。
大カセットが図１、２のＶＣＲ１に装入されると、上述のメカニズムで左側のリールベース１５が反時計方向に回動する。するとリールベース１５及びリールロック解除片１６は、図３の（Ａ）→（Ｂ）→（Ｃ）のように、シャーシ３に対して左方向に進む。そして、図３（Ｂ）のように、同片６１の尾部６１ｂが、シャーシ穴３ａの左側の側辺３ｂに当たると、尾部６１ｂが持ち上げられ、バネ６７が撓み同片６１の頂部６１ａが左におじぎするように傾き始める。さらに進むと、図３（Ｃ）のように、同片６１の尾部６１ｂは、シャーシ３の上に乗ってしまい、同片６１はほぼ横に倒れ込んだ状態となる。この図３（Ａ）の状態では、図２（Ａ）に示すように、リールロック解除片６１は、大カセット７の投影面積内にあるが、横倒しとなって下がっているので、大カセット７をＶＣＲ１内に入れた時にも、リールロック解除片６１が大カセット７と干渉するようなことはない。
【００３４】
本実施例のＶＣＲでは、リールロック解除片の倒立メカニズムのための特別な部品は、コイルバネ６７とピン６３のみである。その他の取り付け用リブ６３や、穴３ａは、リールベースやシャーシに加工しただけのものである。つまり、きわめて少ない小型の部品のみで、小カセット用のリールロック解除片と大カセットとの干渉回避がなされており、ＶＣＲの小型化と部品点数低減を達成している。
【００３５】
【発明の効果】
以上の説明から明らかなように、本発明の記録再生装置では、不要なリールロック解除片は倒してカセット装入の邪魔とならないようにし、必要時にリールロック解除片を自立させて機能を果させるようにすると共に、リールロック解除片の倒立をリールベースの回動に応じてさせたので、当該リールロック解除片の移動や倒立のための複雑な機構は不要である。
特に、リールロック解除片を自立方向に付勢するバネを介してリールベース上に回動可能に取り付けたことにより、特別なリールロック解除片倒立機構を設けることなく小カセット用のリールロック解除片を大カセットと干渉しないように待避させることができる。
さらに、リールベースが小カセット位置にあるときに、リールロック解除片の尾部と当接して該リールロック解除片の倒れを防止する部材を設けたことにより、リールロック解除片が不意に倒れ込むのを防止して、確実なリールロック解除動作を行わせることができる。
【図面の簡単な説明】
【図１】本発明の１実施例に係るＶＣＲのリールロック解除機構を説明する小カセット装着時の図である。
【図２】本発明の１実施例に係るＶＣＲのリールロック解除機構を説明する大カセット装着時の図である。
【図３】小カセット用のリールロック解除片の詳細構造及び動作を説明するための側面断面図である。
【図４】本発明の１実施例に係る記録再生装置（ＶＣＲ）に装着される大カセットの、上ハーフを取り除いた状態における平面図である。
【図５】図４のカセットの底面図である。
【図６】リールロック解除動作の詳細を説明するための側面断面図である。
【図７】特開平９−２２３３４１号に開示されている小カセット装着状態のコンパチブル方式のＶＣＲの主要機構を示す平面図である。
【図８】特開平９−２２３３４１号に開示されている大カセット装着状態のコンパチブル方式のＶＣＲの主要機構を示す平面図である。
【符号の説明】
１…ＶＣＲビデオ・カセット・レコーダ、３…メカシャーシ、
５…テープカセット小、７…テープカセット大、１１…供給側リール台、
１３…巻取側リール台、１５…供給側リールベース、
２５…巻取側リールベース、６１…小カセット用リールロック解除片、
６３…解除片保持リブ、６５…ピン、６７…バネ、
７１…大カセット用リールロック解除片
【図１】
0003687825.tif 000002
【図２】
0003687825.tif 000003
【図３】
0003687825.tif 000004
【図４】
0003687825.tif 000005
【図５】
0003687825.tif 000006
【図６】
0003687825.tif 000007
【図７】
0003687825.tif 000008
【図８】
0003687825.tif 000009